(57)【特許請求の範囲】
【請求項１】
管部材の一端を液体燃料導入管の接続部とし、この接続部から他端まで液体燃料通路を残して管部材の一側及び／又は他側を軸方向に押し潰し、側方平坦部を形成することにより、内径を接続部の内径よりも小径とした液体燃料通路を形成するとともに、管部材の他端全体を押し潰して密閉部を形成し、前記液体燃料通路を形成する壁面に複数の連通口を開口した連通管と、この連通管の連通口に一端を接続し、噴射ノズルを装着するための複数のソケットとを備えたことを特徴とするエンジン始動用フューエルデリバリパイプ。
【請求項２】
連通管は、側方平坦部を軸方向に折曲した折曲片を設けたことを特徴とする請求項１のエンジン始動用フューエルデリバリパイプ。
【請求項３】
ソケットは、一端を連通管の連通口に直接接続したことを特徴とする請求項１のエンジン始動用フューエルデリバリパイプ。
【請求項４】
ソケットは、連結管を介して連通管の連通口に接続したことを特徴とする請求項１のエンジン始動用フューエルデリバリパイプ。
【請求項５】
液体燃料通路は、一端から他端までの内径を同一径としたことを特徴とする請求項１のエンジン始動用フューエルデリバリパイプ。
【請求項６】
液体燃料通路は、連通管の接続部側である一端側の内径を大径とし、他端側の内径を小径としたことを特徴とする請求項１のエンジン始動用フューエルデリバリパイプ。
【発明の詳細な説明】
【技術分野】
【０００１】
本発明は、電子燃料噴射式自動車用エンジンにおいて、エンジンを始動させる際に用いるエンジン始動用フューエルデリバリパイプに係るものである。
【背景技術】
【０００２】
従来より、複数の噴射ノズルを設けてエンジンの複数の気筒にガソリン等の燃料を供給するフューエルデリバリパイプが使用されている。このフューエルデリバリパイプは、床下配管を介して燃料タンクから導入した燃料を、複数の噴射ノズルから順次エンジンの複数の吸気管又は気筒内に噴射して空気と混合し、この混合気を燃焼させることによってエンジンの出力を発生させている。
【０００３】
そして、このようなフューエルデリバリパイプのうち、特許文献１に示す発明の如く、略矩形の管体に複数の連通口を開口して連通管を形成し、この連通管の連通口に噴射ノズルを装着するためのソケットの一端を接続固定したものが従来より使用されている。
【特許文献１】特開２００３−３１４４０５号公報
【発明の開示】
【発明が解決しようとする課題】
【０００４】
しかしながら、近年では、電子燃料噴射式自動車用エンジンの燃料としてガソリンの他に、このガソリンの代替燃料として、エチルアルコール又はメチルアルコール等のガソリンよりも沸点が低い低沸点の液体燃料が単独で、又はガソリンとの液体混合燃料として使用されたり、ＬＰＧ、ＣＮＧ等のガス燃料が使用されるようになった。
【０００５】
そのため、低沸点の液体燃料を単独で、又はガソリンとの液体混合燃料として使用した場合において、エンジン運転後の一端停止時にエンジンからの輻射熱を受けたり、外気温の上昇等によりフューエルデリバリパイプの連通管内の温度が上記液体燃料の沸点よりも高くなった場合には、この低沸点の液体燃料の一部が気化して、連通管内の液体燃料又は液体混合燃料の体積が減少するものとなる。また、ガス燃料のエンジンにおいては、ガソリン単独で使用したエンジンの場合よりも始動性が必ず劣るものであった。
【０００６】
従って、このような場合に上記特許文献１に記載の発明の如きフューエルデリバリパイプを使用すると、連通管の内容積に対して連通管内の液体燃料の体積の割合が低くなり、エンジン始動のクランキング時に連通管から液体燃料を迅速かつ円滑にエンジンの気筒に供給しにくく、エンジン始動時の応答性が悪いものとなるおそれがあった。
【０００７】
本発明は上述の如き課題を解決しようとするものであって、エンジンの始動時において、連通管からエンジンの吸気管又は気筒に液体燃料を迅速且つ円滑に供給可能なエンジン始動用フューエルデリバリパイプを得ようとするものである。
【課題を解決するための手段】
【０００８】
本発明は上述の如き課題を解決するため、管部材の一端を液体燃料導入管の接続部とし、この接続部から他端まで液体燃料通路を残して管部材の一側及び／又は他側を軸方向に押し潰し、側方平坦部を形成することにより、内径を接続部の内径よりも小径とした液体燃料通路を形成するとともに、管部材の他端全体を押し潰して密閉部を形成し、前記液体燃料通路を形成する壁面に複数の連通口を開口した連通管と、この連通管の連通口に一端を接続し、噴射ノズルを装着するための複数のソケットとを備えたものである。
【０００９】
また、連通管は、側方平坦部を軸方向に折曲した折曲片を設けたものであっても良い。
【００１０】
また、ソケットは、一端を連通管の連通口に直接接続したものであっても良い。
【００１１】
また、ソケットは、連結管を介して連通管の連通口に接続したものであっても良い。
【００１２】
また、液体燃料通路は、一端から他端までの内径を同一径としたものであってもよい。
【００１３】
また、液体燃料通路は、連通管の接続部側である一端側の内径を大径とし、他端側の内径を小径としたものであっても良い。
【発明の効果】
【００１４】
本発明は上述の如く構成したものであるから、連通管に側方平坦部と密閉部を形成するとともに、内径を液体燃料導入管との接続部の内径よりも小径とした液体燃料通路を形成することにより連通管内における液体燃料の流路を狭くする。これにより、ガソリンよりも沸点の低い低沸点の液体燃料を単独で、又はガソリンと混合して混合液体燃料として使用した場合や、ガスエンジンの場合であっても、連通管の内容積に対する連通管内の液体燃料の体積の割合の低下を抑制することが可能となるとともに、ガソリンを単独で使用した場合にも、連通管内においてガソリンを迅速に流通させることが可能となる。そのため、エンジン始動時において、連通管からエンジンの気筒に液体燃料を迅速且つ円滑に供給可能とし、応答性を良好なものとすることができる。そのため、エンジンの始動性を向上させることが可能となる。
【実施例１】
【００１５】
本発明の実施例１について、図１〜５において詳細に説明すれば、図１に示す如く、(１)は連通管であって、素材として円筒形の管部材にて形成したものである。そして、この管部材の一端側を液体燃料導入管（図示せず）の接続部(２)とし、この接続部(２)から他端まで断面積の小さい液体燃料通路(３)を残して管部材の両側を連続的に軸方向に水平方向に押し潰すことにより、一対の側方平坦部(４)を左右対称に形成している。
【００１６】
そのため、図４に示す如く、液体燃料通路(３)の両側に側方平坦部(４)が形成されるものとなる。そして、このように管部材の両側に一対の側方平坦部(４)を形成することにより、液体燃料通路(３)の内径を接続部(２)の内径よりもはるかに小径なものとすることができる。また、この管部材の他端側全体を押し潰しすとともにろう付け等を施すことにより、他端を密閉して密閉平坦部(５)を形成している。このように、管部材の他端側に密閉平坦部(５)を形成することにより、液体燃料通路(３)を流れる液体燃料の液漏れを防止することが可能となる。
【００１７】
上記の如く、液体燃料導入管の接続部(２)を一端に設けるとともに、管部材の両側及び他端を押し潰して一対の側方平坦部(４)、及び密閉平坦部(５)を形成することにより、本実施例１における連通管(１)を構成している。そのため、連通管(１)の内径を液体燃料導入管との接続部(２)の内径よりもはるかに小径とした液体燃料通路(３)を形成することにより、連通管(１)内における液体燃料の流路を狭くすることが可能となる。
【００１８】
従って、ガソリンよりも沸点の低い低沸点の液体燃料を単独で、又はガソリンと混合して混合液体燃料として使用した場合、連通管(１)の内容積に対する連通管(１)内の液体燃料の体積の割合の低下を抑制することが可能となる。また、ガソリンを単独で使用した場合にも、連通管(１)内においてガソリンを迅速に流通させることが可能となる。そのため、エンジン始動時において、連通管(１)からエンジンの吸気管又は気筒に液体燃料を迅速且つ円滑に供給可能とし、応答性を良好なものとしている。尚、本発明では液体燃料通路(３)の断面積を２ｍｍ2以上としている。
【００１９】
また、連通管(１)の液体燃料通路(３)を形成する壁面(６)は、図４に示す如くソケット(７)の接続側の底壁(８)側を平坦とするとともに、上壁(１１)を弧状に湾曲した断面かまぼこ型に形成している。また、底壁(８)の幅方向中央には、軸方向に４箇所、ソケット(７)を直接接続するための連通口(１０)を所望の間隔を介して開口している。また、図５に示す如く、液体燃料通路(３)において、連通口(１０)の形成位置に対応する位置の内径を、他の位置の内径よりも大径なものとなるよう拡径して膨出部(２０)を形成し、この膨出部(２０)の断面形状を略三角形としている。
【００２０】
また、上記の如く底壁(８)に配置した各連通口には、図２及び図３に示す如く、噴射ノズル(図示せず)を装着するためのソケット(７)がそれぞれ接続されている。即ち、噴射ノズルの接続側とは反対側の一端を、連通口(１０)の内部に挿入して、ソケット(７)を連通口(１０)に接続固定し、連通口(１０)から連通管(１)の内方に向けて、ソケット(７)の上端に形成した燃料導入口(１２)を配置している。また、図３に示す如く、連通管(１)の一端側及び他端側には、それぞれブラケット(１３)を１個ずつ接続配置している。
【００２１】
そして、このようにソケット（７）を接続した連通管（１）において、上記の如く液体燃料通路(３)の連通口(１０)の形成位置に対応する位置の内径を、他の位置の内径よりも大径なものとなるよう拡径して膨出部(２０)を形成することにより、液体燃料通路(３)からソケット(７)の燃料導入口(１２)への液体燃料の流路を十分に確保することができるため、液体燃料を液体燃料通路(３)からソケット(７)の燃料導入口(１２)への液体燃料の流通を効率よく行うことができる。
【００２２】
そして、上記の如く形成した本発明のエンジン始動用フューエルデリバリパイプを使用してエンジンを始動した後は、本発明のエンジン始動用フューエルデリバリパイプとは別個に設置されている従来のフューエルデリバリパイプによって複数の噴射ノズルから順次エンジンの複数の吸気管又は気筒内に噴射して空気と混合し、この混合気を燃焼させることによってエンジンの出力を発生させるものである。
【実施例２】
【００２３】
また、上記実施例１では、管部材の両側を水平方向に押し潰すことにより、断面形状において液体燃料通路(３)の両側から水平方向に伸びた側方平坦部(４)を形成しているが、本発明の実施例２では、図６に示す如く、上記実施例１と同様に形成した一対の側方平坦部(４)のうち一方の側方平坦部(４)を、連通管(１)の軸方向に、側方平坦部(４)の端縁(１４)を連通管の軸方向に沿って上方に折曲することにより折曲片(１５)を形成している。
【００２４】
このようにして側方平坦部(４)に折曲片(１５)を形成することにより、連通管(１)の剛性を高めることが可能となるため、より安定性の良いエンジン始動用フューエルデリバリパイプを得ることができる。
【実施例３】
【００２５】
また、前記実施例２では図６に示す如く、一方の側方平坦部(４)にのみ折曲片(１５)を形成しているが、本発明の実施例３においては、図７に示す如く両方の側方平坦部(４)に折曲片(１５)を形成している。このように両方の側方平坦部(４)にそれぞれ折曲片(１５)を形成することにより、連通管(１)の剛性を更に高めることができる。
【実施例４】
【００２６】
また、上記実施例１では、一対の側方平坦部(４)を連通管(１)の両側に配置しているが、本発明の実施例４では、図８に示す如く、管部材の一側のみを押し潰すことにより、連通管(１)の一側にのみ側方平坦部(４)を配置している。そのため、液体燃料通路(３)の一側にのみ側方平坦部(４)が配置されるものとなる。この様に連通管(１)の一側にのみ側方平坦部(４)を形成することにより、製造を容易なものとすることが可能となる。
【実施例５】
【００２７】
また、前記実施例４では、管部材の一側のみを水平方向に押し潰すことにより、断面形状において液体燃料通路(３)の一側から水平方向に伸びた側方平坦部(４)を形成しているが、本発明の実施例５では、図９に示す如く、前記実施例４と同様に形成した側方平坦部(４)を、連通管(１)の軸方向に、側方平坦部(４)の端縁(１４)を連通管(１)の軸方向に沿って上方に折曲することにより折曲片(１５)を形成している。
【実施例６】
【００２８】
また、上記実施例４では側方平坦部(４)を連通管(１)の一側に形成配置するとともに、側方平坦部（４）の突出方向とは垂直方向にソケット(７)を接続しているが、本発明の実施例６では、図１０に示す如く、連通管(１)の一側に側方平坦部(４)を形成して、この側方平坦部(４)を液体燃料通路(３)の上方に鉛直方向に配置し、この側方平坦部(４)の配置側とは反対側の位置の壁面(６)にソケット(７)を接続している。また、液体燃料通路(３)の側方平坦部(４)の配置側とは反対側の位置に連通口(１０)を開口し、この連通口(１０)にソケット(７)を接続固定している。
【実施例７】
【００２９】
また、前記実施例６では図１０に示す如く、断面形状において液体燃料通路(３)から鉛直方向に伸びた側方平坦部(４)を形成しているが、本発明の実施例７においては、図１１に示す如く、側方平坦部(４)の端縁(１４)を連通管(１)の軸方向に沿って一方向に折曲することにより折曲片(１５)を形成している。そのため、連通管(１)の剛性を更に高めることができる。
【実施例８】
【００３０】
また、上記実施例１では、連通管(１)に形成した連通口(１０)にソケット(７)を直接接続固定しているが、本発明の実施例８では、図１２に示す如く、連通管(１)の連通口(１０)に連結管(１６)を介してソケット(７)を接続している。即ち、連通口(１０)には、円筒形の連結管(１６)の一端をろう付けなどにより固定して、連結管(１６)を連通管(１)の軸方向とは垂直方向に接続配置するとともに、この連結管(１６)の他端にソケット(７)の一端を、ろう付けなどにより接続固定している。
【実施例９】
【００３１】
また、上記実施例１〜８では、連通管(１)の液体燃料通路(３)の内径を、膨出部(２０)の形成箇所を除いた一端から他端まで同一径としているが、本発明の実施例９では、図１３及び１４に示す如く、膨出部(２０)の形成箇所を除いた液体燃料通路(３)の内径を、液体燃料導入管の接続部(２)側である一端側を大径とするとともに、他端側を小径としたテーパ状に形成している。このように、膨出部(２０)の形成箇所を除いた液体燃料通路(３)をテーパー状とすることにより、液体燃料を、圧力を低下させることなく液体燃料通路(３)の先端まで迅速に移送することが可能となる。
【実施例１０】
【００３２】
また、前記実施例９では、膨出部(２０)の形成箇所を除いた液体燃料通路(３)の内径を、接続部(２)側である一端側を大径とするとともに、他端側を小径としたテーパ状に形成し、液体燃料通路(３)の内径を連通管(１)の軸方向に連続的に変化させているが、本発明の実施例１０では、図１５及び図１６に示す如く、隣り合う連通口(１０)の間隔において液体燃料通路(３)の内径を同一径とするとともに、一端側の液体燃料通路(３)の内径を大径とし、一端側と他端側との間の中間部分の内径を一端側の内径よりも小径とし、更に、他端側の内径を中間部分の内径よりも小径なものとし、液体燃料通路(３)の内径を連通管(１)の軸方向に段階的に変化させている。
【実施例１１】
【００３３】
また、本実施例１１では、図１７及び図１８に示す如く、円筒形に形成した連通管(１)の下方に連通口(１０)を軸方向に複数箇所開口し、この連通口(１０)に円筒形の連結管(１６)の一端を固定して、この連結管(１６)を連通管(１)の軸方向とは垂直方向に接続配置するとともに、連結管(１６)の他端にはソケット(７)の一端を接続固定している。また、連通管(１)の上方には、連通管(１)の形成長さと略同一形成長さの平板(１７)の一側面を、連通管(１)の軸方向に連続してろう付けなどにより接続固定している。この様に、連通管(１)の上方に平板(１７)を接続固定することにより、エンジン始動用フューエルデリバリパイプの剛性が高まって安定性の良い製品を得ることが可能となる。
【実施例１２】
【００３４】
また、前記実施例１１では、連通管(１)の上方に平板(１７)を接続固定しているが、本実施例１２では、図１９に示す如く、円筒形の連通管(１)の連通口(１０)に連結管(１６)の一端を配置するとともに、この連結管(１６)の他端にソケット(７)を接続固定するとともに、連通管(１)と略同一長さの板材(１８)を、連結管(１６)の一側に、連通管(１)と平行に架設するとともに、この板材(１８)と連結管(１６)との接触部をろう付けなどにより接続固定している。このように、連通管(１)の軸方向に、板材(１８)を各連結管(１６)に架設して接続固定することにより、エンジン始動用フューエルデリバリパイプの剛性を高めることが可能となる。
【図面の簡単な説明】
【００３５】
【図１】本発明の実施例１を示す連通管の斜視図。
【図２】実施例１のエンジン始動用フューエルデリバリパイプの断面図。
【図３】実施例１のエンジン始動用フューエルデリバリパイプのソケット接続側の正面図。
【図４】図２のＡ−Ａ線断面図。
【図５】図２のＢ−Ｂ線切欠端面図。
【図６】本発明の実施例２を示すエンジン始動用フューエルデリバリパイプの断面図。
【図７】本発明の実施例３を示すエンジン始動用フューエルデリバリパイプの断面図。
【図８】本発明の実施例４を示すエンジン始動用フューエルデリバリパイプの断面図。
【図９】本発明の実施例５を示すエンジン始動用フューエルデリバリパイプの断面図。
【図１０】本発明の実施例６を示すエンジン始動用フューエルデリバリパイプの断面図。
【図１１】本発明の実施例７を示すエンジン始動用フューエルデリバリパイプの断面図。
【図１２】本発明の実施例８を示すエンジン始動用フューエルデリバリパイプの断面図。
【図１３】本発明の実施例９を示すエンジン始動用フューエルデリバリパイプの正面図。
【図１４】実施例９のエンジン始動用フューエルデリバリパイプの側面図。
【図１５】本発明の実施例１０を示すエンジン始動用フューエルデリバリパイプの正面図。
【図１６】実施例１０のエンジン始動用フューエルデリバリパイプの側面図。
【図１７】実施例１１を示すエンジン始動用フューエルデリバリパイプの斜視図。
【図１８】図１７のＣ−Ｃ線断面図。
【図１９】実施例１２を示すエンジン始動用フューエルデリバリパイプの斜視図。
【符号の説明】
【００３６】
１  連通管
２  接続部
３  液体燃料通路
４  側方平坦部
５  密閉平坦部
６  壁面
７  ソケット
１０  連通口
１５  折曲片
１６  連結管
【図１】
0004440184.tif 000002
【図２】
0004440184.tif 000003
【図３】
0004440184.tif 000004
【図４】
0004440184.tif 000005
【図５】
0004440184.tif 000006
【図６】
0004440184.tif 000007
【図７】
0004440184.tif 000008
【図８】
0004440184.tif 000009
【図９】
0004440184.tif 000010
【図１０】
0004440184.tif 000011
【図１１】
0004440184.tif 000012
【図１２】
0004440184.tif 000013
【図１３】
0004440184.tif 000014
【図１４】
0004440184.tif 000015
【図１５】
0004440184.tif 000016
【図１６】
0004440184.tif 000017
【図１７】
0004440184.tif 000018
【図１８】
0004440184.tif 000019
【図１９】
0004440184.tif 000020